(57)【特許請求の範囲】
【請求項１】
屋根の軒先に取り付けられた軒樋と、該軒樋の一部に設けられる竪樋と、該竪樋に曲管部を介して地中に埋設されるとともに室内排水管が合流する横引き管と、前記横引き管に設けられる雨水枡および室内排水管に接続される合流枡からなる枡と、を備え、前記軒樋に流れた雨水を前記竪樋を介して前記横引き管に流出させるように構成された雨水排水システムであって、
前記軒樋および前記竪樋の少なくとも一方にサイホン発生部が設けられ、
前記竪樋と前記横引き管との間の前記曲管部を有する流路内には整流部が設けられていることを特徴とする雨水排水システム。
【請求項２】
前記枡には、前記横引き管の満水時に管内圧力を開放する圧力開放蓋が設けられていることを特徴とする請求項１に記載の雨水排水システム。
【請求項３】
前記枡は、トラップ枡であり、
該トラップ枡と前記横引き管とがＴ字継手によって接続されていることを特徴とする請求項１又は２に記載の雨水排水システム。
【請求項４】
前記サイホン発生部は、前記軒樋および前記竪樋の可能排水量で２．２Ｌ／ｓｅｃ以上の排水機能を有することを特徴とする請求項１乃至３のいずれか１項に記載の雨水排水システム。
【請求項５】
前記整流部は、前記雨水の鉛直下方への流下を規制し流れを方向付けする整流面が、前記竪樋の中心軸回りに螺旋状に形成される螺旋羽根であることを特徴とする請求項１乃至４のいずれか１項に記載の雨水排水システム。
【発明の詳細な説明】
【技術分野】
【０００１】
本発明は、雨水排水システムに関する。
【背景技術】
【０００２】
従来、住宅などでは、屋根から流れ落ちる雨水を受ける軒樋と、集水器や呼び樋を介して軒樋に接続され、軒樋に集められた雨水を排水管に導くための竪樋とを備えた雨樋構造が多く用いられている。また、竪樋は、熱膨縮などによる変位・変形を吸収するために、その下端部側を排水管に取り付けた筒状の排水管カバーに摺動可能に接続して設けられている。
【０００３】
一方、この種の雨樋構造では、集中豪雨などの増加に伴い、軒樋からの排水量が増加することが懸念されており、単位時間当たりの排水量を増加させて、大雨時でも好適に雨水を排水管に排出できることが求められている。
これに対し、例えば特許文献１には、集水器を含む軒樋の底部を二重構造にし、この軒樋の底部にサイホン管路を全長にわたって設け、さらに軒樋の内部からサイホン管路に通じる吸水口を設け、竪樋の上端を軒樋のサイホン管路に接続した構成とされ、雨水の排水効率を向上させた高排水の雨水排水システムについて開示されている。
【０００４】
このような高排水の雨水排水システムにおいては、大雨時に、軒樋底部のサイホン管路と縦サイホン管路が雨水で満たされると、縦サイホン管路内に負圧が生じ、サイホン作用によって軒樋内の雨水が吸水口から吸い込まれ、自然落下よりも高速でサイホン管路から縦サイホン管路に引っ張られて流れ落ちる。これにより、単位時間当たりの排水を増加させ、大雨時に多量の雨水を効率よく排水することが可能になっている。
【先行技術文献】
【特許文献】
【０００５】
【特許文献１】特開２００４−２５１０７５号公報
【発明の概要】
【発明が解決しようとする課題】
【０００６】
しかしながら、上記特許文献１に示されるようなサイホン作用を利用した高排水の雨水排水システムでは、竪樋の設置本数を減らす構成となるため、１本の竪樋から地中に埋設されている横引き管内に流れ込む水量が増大することになる。そのため、竪樋が満水となって排水管カバーにおいて吹き出し（オーバーフロー）が発生するという問題があった。
【０００７】
具体的に竪樋と横引き管との接続箇所に使用される曲管として、９０°エルボ（いわゆるＤＬ型、以下、ＤＬ型曲管という）と、９０°の大曲がりエルボ（いわゆるＬＬ型、以下、ＬＬ型曲管という）とがある。
ＬＬ型曲管が使用される場合は、湾曲半径がＤＬ型曲管よりも大きく、緩いカーブ形状となるので、曲管内での乱流が発生し難いが、横引き管の埋設深さがＤＬ型曲管に比べて深くなることから、曲管が建物の基礎に干渉するおそれがあった。
一方、ＤＬ型曲管が使用される場合は、図１３に示すように、湾曲半径がＬＬ型曲管よりも小さく、曲りが急であるので、この曲管１００内で乱流が発生し、横引き管１０１内に空気溜まり１０２ができて流れ難くなり、横引き管１０１が満流の状態になって排水管カバー１０３においてオーバーフローが発生し易くなるという問題があった。
【０００８】
さらに、雨水排水システムを使用する住宅が狭小地である場合には、曲管から枡までの地中に配設される横引き管の長さが短くなるため、横引き管内が満流の状態にとなり易く、結果的に排水管カバーでオーバーフローが発生し易くなることから、その点で改良の余地があった。
【０００９】
本発明は、上述する問題点に鑑みてなされたもので、集中豪雨時において曲管の形状にかかわらず排水管カバーにおけるオーバーフローを抑制することができる雨水排水システムを提供することを目的とする。
【課題を解決するための手段】
【００１０】
上記目的を達成するため、本発明に係る雨水排水システムは、屋根の軒先に取り付けられた軒樋と、該軒樋の一部に設けられる竪樋と、該竪樋に曲管部を介して地中に埋設されるとともに室内排水管が合流する横引き管と、前記横引き管に設けられる雨水枡および室内排水管に接続される合流枡からなる枡と、を備え、前記軒樋に流れた雨水を前記竪樋を介して前記横引き管に流出させるように構成された雨水排水システムであって、前記軒樋および前記竪樋の少なくとも一方にサイホン発生部が設けられ、前記竪樋と前記横引き管との間の前記曲管部を有する流路内には整流部が設けられていることを特徴としている。
【００１１】
本発明に係る雨水排水システムでは、竪樋と横引き管との間の曲管部を有する流路内に整流部が設けられているので、前記曲り部分の流路内における乱流の発生を抑えることができる。そのため、サイホン作用を利用した高排水で竪樋の設置本数を減少させた排水システムにおいて、１本の竪樋から横引き管に流れ込む水量を増大させることが可能となり、竪樋が満水になるのを抑えることができる。例えば竪樋に排水管カバーが設けられる場合において、集中豪雨時でも前記排水管カバーによるオーバーフローの発生を抑制することができる。
【００１２】
このように、本発明では、曲管部の形状にかかわらず、曲管部を有する流路内に整流部を設ける構成であるので、曲率半径が小さく曲りが急となる曲管の場合でも、曲管内での乱流の発生が抑えられ、横引き管内で空気溜まりが生じにくくなる。つまり、効果的に曲率半径の小さな曲管を用いることが可能となるので、曲率半径が大きな曲管のように建物の基礎に干渉することなく配置することができる。
さらに、横引き管が満流状態になりにくいことから、横引き管の長さを短くすることが可能であり、狭小地に配設されるような長さの短い横引き管の場合でも、上述したような集中豪雨時における排水管カバーからのオーバーフローを防止することができる。
【００１３】
また、本発明に係る雨水排水システムは、前記枡には、前記横引き管の満水時に管内圧力を開放する圧力開放蓋が設けられていることが好ましい。
【００１４】
この場合には、枡の圧力開放蓋を開いて圧力開放することで、横引き管に生じる空気溜まりを逃がして圧力を低下させることができ、横引き管が満流状態になるのを防ぐことができる。
【００１５】
また、本発明に係る雨水排水システムは、前記枡は、トラップ枡であり、該トラップ枡と前記横引き管とがＴ字継手によって接続されていることが好ましい。
【００１６】
このようなトラップ枡を設けることにより、例えば横引き管内を流れる雨水が乱流を起こし、滞留したり一部逆流する場合において、その雨水が流路内の一部の空間を閉塞して横引き管内に密封領域を作り、この密封領域が雨水に引っ張られて負圧状態が生じることを防ぐことができる。そのため、トラップ枡内に合流した室内排水管からの排水が竪樋側の横引き管へ向けて逆流することを防止できる。
【００１７】
また、本発明に係る雨水排水システムは、前記サイホン発生部は、前記軒樋および前記竪樋の可能排水量で２．２Ｌ／ｓｅｃ以上の排水機能を有することが好ましい。
【００１８】
本発明では、竪樋と横引き管との間の曲り部分の流路内に整流部を設けることで、可能排水量が２．２Ｌ／ｓｅｃ以上の高排水量に対応することが可能となり、集中豪雨時であっても前記排水管カバーによるオーバーフローの発生を抑制することができる。
【００１９】
また、本発明に係る雨水排水システムは、前記整流部は、前記雨水の鉛直下方への流下を規制し流れを方向付けする整流面が、前記竪樋の中心軸回りに螺旋状に形成される螺旋羽根であることが好ましい。
【００２０】
この場合には、より優れた整流機能を発揮することができる利点がある。
【発明の効果】
【００２１】
本発明の雨水排水システムによれば、集中豪雨時において曲管の形状にかかわらず排水管カバーにおけるオーバーフローを抑制することができる。
【図面の簡単な説明】
【００２２】
【図１】本発明の実施の形態による雨水排水システムの全体構成を示す側面図である。
【図２】図１に示す雨水排水システムを簡略化した斜視図である。
【図３】雨水排水システムに用いられるサイホン発生機構の概要を示す斜視図である。
【図４】図３に示すサイホン発生機構の側面図である。
【図５】排水管カバーの構成を示す斜視図である。
【図６】（ａ）は排水管カバーの上側から見た平面図、（ｂ）は竪樋を上から見た図である。
【図７】排水管カバー内に竪樋が嵌合された状態を上側から見た平面図である。
【図８】立上げ管と横引き管とを接続する曲管の斜視図である。
【図９】図８に示す曲管を上側から見た平面図である。
【図１０】第１変形例による整流リブを示す図であって、（ａ）は曲管を上側から見た平面図、（ｂ）は（ａ）に示す曲管の縦断面図である。
【図１１】第２変形例による曲管の斜視図であって、図８に対応する図である。
【図１２】図８に示す曲管を上側から見た平面図であって、図９に対応する図である。
【図１３】従来の雨樋構造の一部を示す側断面図である。
【発明を実施するための形態】
【００２３】
以下、本発明の実施の形態による雨水排水システムについて、図面に基づいて説明する。
【００２４】
図１に示すように、本実施の形態による雨水排水システム１は、軒樋２に流れた雨水を竪樋３を介して横引き管６に流出させるように構成されている。
【００２５】
雨水排水システム１は、屋根の軒先に取り付けられた軒樋２と、軒樋２の一部に設けられる竪樋３と、竪樋３にエルボ４（曲管部）を介して地中に埋設されるとともに室内排水管５が合流する横引き管６と、横引き管６に設けられる枡７と、排水管カバー８と、を備えている。軒樋２および竪樋３にサイホン発生部１０（図３及び図４参照）が設けられている。
ここで、図１は、横引き管６に対して２系統の竪樋３、３がそれぞれエルボ４を介して接続され、横引き管６に雨水枡７２、トラップ枡７３、及び合流枡７１（図２参照）が設けられている。合流枡７１は、図２に示すように、下流側で接続管６１を介して下水本管Ｐに接続されている。なお、図２は、図１を簡略化した図であり、以下では図２を中心に説明する。
【００２６】
軒樋２は、図３及び図４に示すように、屋根の軒先から流れ落ちる雨水を受けるものであり、落し口２１を形成する集水器２２が取り付けられている。
【００２７】
竪樋３は、硬質塩化ビニル樹脂等により形成された円筒状の管部材であり、軒樋２の落し口２１に上端を接続し、住宅などの外壁から所定の間隔をあけて外壁に沿って上下方向Ｙに延在して配置され、軒樋２に流れた雨水を地中に埋設された横引き管６に向けて流下させるものである。
【００２８】
本実施の形態における竪樋３は、図５、図６（ｂ）、及び図７に示すように、雨水を流下させる筒状体３１と、筒状体３１の外周面から径方向外側に突出するとともに筒状体３１の上下方向Ｙに延在する略Ｔ字状の断面形状をなす取付リブ３２と、を備えている。取付リブ３２は、竪樋３の略全長にわたって設けられている。竪樋３は、取付リブ３２が外壁に固定される竪樋支持具（図示省略）に嵌合されることにより支持される。なお、取付リブ３２は竪樋３の全長にわたって設けられていなくてもよく、竪樋３の外壁に固定される箇所にのみ設けられていても良い。
なお、図２において、竪樋３の上下方向Ｙの中間にはオーバーフローソケット９が設けられている。このオーバーフローソケット９は、枡７や排水管カバー８が冠水して竪樋３内の雨水を排水できない場合に、竪樋３から雨水を逃がし、バルコニー等への浸水を防止する機能を有している。そのため、オーバーフローソケット９は竪樋３の予想冠水水位よりも高い位置に設置される。
【００２９】
図３及び図４に示すように、本実施の形態におけるサイホン発生部１０は、軒樋２内の底部に、軒樋２の延在方向Ｘに沿って配設された吸水管１１と、上端（一端）を吸水管１１に接続し、落し口２１を通じて竪樋３内に、且つ竪樋３の延在方向である上下方向Ｙに沿って配設された負圧誘発管１２と、吸水管１１と負圧誘発管１２を接続する継手１３と、を備えている。これら吸水管１１、負圧誘発管１２、及び継手１３は、例えばポリカーボネート、ポリ塩化ビニル、ポリオレフィンなどの熱可塑性合成樹脂を用い、押出成形や射出成形によって形成されている。さらに、吸水管１１と負圧誘発管１２は、例えば外径を３５〜６０ｍｍ程度にして形成されている。
【００３０】
吸水管１１は、押出成形あるいは射出成形により形成され、両端が開口した筒状体であり、集水器２２側に開口する開口部と反対側の開口部１１ａ側の端部に複数の吸水孔１１ｂを有している。これら吸水孔１１ｂは、吸水管１１の径方向からも雨水を取り込めるように設けられた貫通孔である。
【００３１】
負圧誘発管１２は、例えば外径が６０〜１００ｍｍ程度の竪樋３内に挿入し、その外面と竪樋３の内面との間に隙間をあけて配設されている。また、本実施の形態の負圧誘発管１２は、軒樋２内の雨水を引っ張って自然落下よりも高速で排水させるための負圧を誘発する負圧誘発部１２ａを備えた管とこの負圧誘発部１２ａを備えていない管とを接続して竪樋３と略同等の長さで形成され、その下端（他端）を排水管カバー８内に配して設けられている。
【００３２】
負圧誘発部１２ａ（図３参照）は、吸水管１１の内部から取り入れた雨水が流れる管内流路の一部の流路面積が負圧誘発管１２の他の部分よりも小となるようにして形成されている。例えば、負圧誘発部１２ａは、内径及び外径が他の部分よりも小さくなるように負圧誘発管１２を絞って形成したり、負圧誘発管１２の内面から内側に突出する突部を設けるなどして形成されている。
【００３３】
このように構成されるサイホン発生部１０では、図３に示すように、軒樋２内に流入した雨水が竪樋３内を流れるとともに、開口部１１ａおよび吸水孔１１ｂから吸水管１１の内部に流入し、吸水管１１から負圧誘発管１２の内部を流れて排水される。そして、大雨時に多量の雨水が吸水管１１から負圧誘発管１２に流れると、流路面積を小にしてなる負圧誘発部１２ａの抵抗で乱流が生じ、負圧誘発部１２ａよりも上方に雨水の滞留が発生し、吸水管１１と負圧誘発管１２が雨水で満たされる。このように吸水管１１と負圧誘発管１２が雨水で満たされ、負圧誘発部１２ａの抵抗力を上回る水圧が負圧誘発部１２ａに作用すると、滞留した雨水が急激に流下して負圧が発生する。これにより、軒樋２内の雨水が負圧によって引っ張られて開口部１１ａおよび吸水孔１１ｂから急激に吸い込まれ、自然落下よりも高速で軒樋２内の雨水を排水することが可能になる。
本実施の形態の雨水排水システム１は、サイホン発生部１０を設けることで、大雨時に軒樋２内に流入した雨水の排水能力を向上させることができる。
【００３４】
なお、本実施の形態の雨水排水システム１では、サイホン発生部１０は、軒樋２および竪樋３の可能排水量で２．２Ｌ／ｓｅｃ以上の排水機能を有し、好ましくは２．８Ｌ／ｓｅｃ以上の機能とする。これは、２．８Ｌ／ｓｅｃ以上の場合には、降雨強度で１６０ｍｍ／ｈｒで換算すると、１屋根面積で６４ｍ２までとなる高排水が対象となる。
【００３５】
図４に示すように、排水管カバー８は、竪樋３とエルボ４上に接続された立上げ管４３との間に介在されている。具体的に排水管カバー８は、図５および図６（ａ）に示すように、竪樋３の下端部に連結される円筒状の上筒８１と、立上げ管４３（図２及び図４参照）に接続される円筒状の下筒８２と、を備えている。
上筒８１は、竪樋３の取付リブ３２を収容可能な嵌合凹部８３を有する円筒部材からなり、竪樋３よりも大径に形成され、竪樋３の下端部３ａを内側に嵌合させている。嵌合凹部８３に竪樋３の取付リブ３２を嵌合させた状態で、図７に示すような嵌合凹部８３の内側には隙間（通気部８３ａ）が形成されている。
この通気部８３ａは、立上げ管４３や横引き管６の内部で発生し、排水を阻害する空気溜まりを排出する機能を有している。
【００３６】
下筒８２は、図５に示すように、上筒８１に対して連結自在に分離、又は一体的に形成された部材であり、一方向に貫通した筒状の胴部８２Ａと、胴部８２Ａの軸線方向中間部で胴部８２Ａの径方向外側に張り出したカバー部８２Ｂと、を有している。胴部８２Ａは、上筒８１に下方から挿入させる上側差し口（図示省略）と、立上げ管４３の上端を挿入させる下側差し口８２ａと、を具備している。
【００３７】
カバー部８２Ｂは、胴部８２Ａの軸線方向の中間部、本実施形態では下側差し口８２ａの上端部から胴部８２Ａの径方向外側に張り出した後、下側差し口８２ａ側に折れ曲がって下側差し口８２ａの外周面に平行に張り出している。この構成によりカバー部８２Ｂは、下側差し口８２ａの上端側の一部を、その外周面から間隔を空けて覆っている。
【００３８】
本実施の形態におけるエルボ４は、図１および図２に示すように、略９０度の角度をなして配置され、立上げ管４３と横引き管６とを接続する管継手である。図８及び図９に示すように、エルボ４において、竪樋３から流下する雨水の流動方向に略対向して排水を受ける壁部は、湾曲し雨水の流路を変更させる湾曲部４ａとされている。エルボ４は、湾曲部４ａの上流側の上流側拡径部４ｂ、および下流側の下流側拡径部４ｃが湾曲部４ａよりも拡径されている。上流側拡径部４ｂには立上げ管４３の下端が内嵌接続され、下流側拡径部４ｃには横引き管６が内嵌接続されている。
【００３９】
湾曲部４ａの内側には、竪樋３及び横引き管６の流路が雨水で塞がれることによって、その塞がれた部分よりも上流側の空間に負圧がかかるのを防止するための上面視形状で略ハ字型を形成する一対の整流リブ４１（整流部）が備えられている。整流リブ４１は、それぞれ平面視で湾曲部４ａ径方向の内側に向かって延びるとともに、側面視で湾曲部４ａの前記壁部に沿う形状をしている。
【００４０】
横引き管６は、図２に示すように、地中に埋め込まれ、一部上下の流路を有するものの全体にわたって所定の排水勾配を有して略水平方向に延びて合流枡７１を介して下水本管Ｐ（図１参照）に接続されている。横引き管６の途中には、室内排水管５が合流する合流枡７１が設けられ、合流枡７１の上流側でエルボ４との間には圧力開放蓋７０を備えた雨水枡７２及びトラップ枡７３が設けられている。
【００４１】
室内排水管５は、建物内の床上に設置されている便器等の宅内排水設備５０から基礎５１との間の床下空間に設置され、さらに地中に向けて延ばされて横引き管６に設けられる合流枡７１に接続されている。
【００４２】
トラップ枡７３は、トラップ７４を介して雨水枡７２及び竪樋３側（上流側）の横引き管６にＴ字継手７５によって連結されている。トラップ７４は、谷状に湾曲する谷状ターン部７４ａを有し、横引き管６の管内空間を汚水が流れる室内排水管５の管内空間から遮断する封水を溜める機能を有している。
これにより、上流側の横引き管６内が密閉されて負圧状態を発生させることを防止することができる。そして、負圧が発生することによってトラップ７４内の封水量を減少させて、封水を追加する必要が生ずる事態を回避することができるという効果が得られる。
【００４３】
雨水枡７２及びトラップ枡７３に設けられる圧力開放蓋７０は、枡の上流側（竪樋３側、又は室内排水管５側）、若しくは下流側（下水本管Ｐ側）において所定の内圧が生じたときに蓋の一部が開いてその圧力を開放し、蓋７０自体が圧力によって枡から外れてしまうのを防ぐためのものであり、横引き管６に生じる空気溜まり（図１３に示す符号１０２）を排出して水流の抵抗を解消する機能も有している。
【００４４】
次に、上述した雨水排水システムの作用について図面を用いて詳細に説明する。
本実施の形態では、図２に示すように、竪樋３と横引き管６との間のエルボ４を有する流路内に整流リブ４１（図８参照）が設けられているので、エルボ４を含む前記曲り部分の流路内における乱流の発生を抑えることができる。
そのため、図３及び図４に示すサイホン発生部１０によりサイホン作用を利用した高排水で竪樋３の設置本数を減少させた排水システムにおいて、１本の竪樋３から横引き管６に流れ込む水量を増大させることが可能となり、竪樋３が満水になるのを抑えることができる。そして、本実施の形態のように竪樋３に排水管カバー８が設けられる場合において、集中豪雨時であっても排水管カバー８によるオーバーフローの発生を抑制することができる。
【００４５】
このように、本実施の形態では、エルボ４の形状にかかわらず、エルボ４を有する流路内に整流リブ４１を設ける構成であるので、曲率半径が小さく曲りが急となる曲管（ＤＬ型曲管）の場合でも、曲管内での乱流の発生が抑えられ、横引き管６内で空気溜まりが生じにくくなる。つまり、効果的に曲率半径の小さな曲げ管を用いることが可能となるので、曲率半径が大きな曲管（大曲がりエルボ、ＬＬ型曲管）のように建物の基礎に干渉することなく配置することができる。
さらに、横引き管６が満流状態になりにくいことから、横引き管６の長さを短くすることが可能であり、狭小地に配設されるような長さの短い横引き管６の場合でも、上述したような集中豪雨時における排水管カバー８からのオーバーフローを防止することができる。
【００４６】
このように、本実施の形態では、エルボ４の形状にかかわらず、エルボ４の流路内に整流リブ４１を設ける構成であるので、曲率半径の小さな曲管の場合でも、曲管内で乱流が発生しにくくなり、横引き管６内で空気溜まりが生じない構成となる。つまり、効果的に曲率半径の小さな曲管を用いることが可能となるので、曲率半径が大きな曲管のように建物の基礎に干渉することなく配置することができる。
さらに、横引き管６が満流状態になりにくい構成となるので、横引き管６の長さを短くすることが可能であり、狭小地に配設されるような長さの短い横引き管の場合でも、上述したような集中豪雨時における排水管カバー８からのオーバーフローを防止することができる。
【００４７】
また、本実施の形態では、枡７の圧力開放蓋７０を開いて圧力開放することで、横引き管６に生じる空気溜まりを逃がし圧力を低下させることができ、横引き管６が満流状態になるのを防ぐことができる。圧力開放蓋７０として、例えば、特許文献（特開２０１３−２５６７６０号公報）の蓋を採用することができる。
【００４８】
また、本実施の形態では、枡７がトラップ枡７３であり、トラップ枡７３と横引き管６とがＴ字継手７５によって接続されているので、例えば横引き管６内を流れる雨水が乱流を起こし、滞留したり一部逆流する場合において、その雨水が流路内の一部の空間を閉塞して横引き管６内に密封領域を作り、この密封領域が雨水に引っ張られて負圧状態が生じることをを防ぐことができる。そのため、トラップ枡７３内に合流した室内排水管５からの排水が竪樋３側の横引き管６へ向けて逆流することを防止できる。
【００４９】
また、本実施の形態では、竪樋３と横引き管６との間のエルボ４の流路内に整流リブ４１を設けることで、可能排水量が２．２Ｌ／ｓｅｃ以上の高排水に対応することが可能となり、集中豪雨時であっても排水管カバー８によるオーバーフローの発生を抑制することができる。
【００５０】
上述のように本実施の形態による雨水排水システムでは、集中豪雨時においてエルボ４の形状にかかわらず排水管カバー８からのオーバーフローを抑制することができる。
【００５１】
次に、上述した実施の形態による雨水排水システムの効果を裏付けるために行った実施例について以下説明する。
【００５２】
（実施例１）
本実施例では、上述した実施の形態の雨水排水システムにおける排水性能を確認するために、表１に示す仕様の各部の構成を使用して評価を行った。
表１に示す実施例は、竪樋と横引き管との間に上面視でハ字状の整流リブ（ハ字状リブ）を備えたエルボを使用し、横引き管に接続される圧抜き管に圧力開放蓋（通気蓋）を設けないケースと設けるケースのそれぞれにおいて、エルボと竪樋との接続部分に配置される排水管カバーにおける水の漏れ量（流量）Ｌ／ｍｉｎを測定し、従来のエルボ（比較例１、２）と比較して評価を行った。
【００５３】
【表１】
0006475545.tif 000002
【００５４】
実施例は、軒樋の可能排水量を２．８Ｌ／ｓｅｃの高排水とし、硬質塩化ビニル管（ＶＵ）の横引き管の長さが１０００ｍｍ、管径が５０ｍｍ、エルボ径が５０ｍｍ、トラップ枡径が７５ｍｍ、立下げチーズの形状が７５×５０であり、エルボ内の整流リブは上述した実施の形態と同様にハ字状リブを使用し、排水管カバーは内部に段差が無い形状のものを使用した。
【００５５】
表２に示すように、比較例１は硬質塩化ビニル管で９０°の大曲がりエルボ（ＶＵＬＬ）を使用し、比較例２は硬質塩化ビニル管で９０°エルボ（ＶＵＤＬ）を使用し、比較例１、２共に整流リブを備えていないエルボを使用している。比較例１、２において、エルボ以外の条件は、実施例と同様である。比較例１、２においても、それぞれ圧抜き管に圧力開放蓋（通気蓋）を設けないケースと設けるケースのエルボの漏れ量（流量）Ｌ／ｍｉｎを測定した。
【００５６】
【表２】
0006475545.tif 000003
【００５７】
表１および表２に示すように、実施例の漏れ量を測定した結果、通気蓋が無い場合に実施例で０．１５Ｌ／ｍｉｎとなり、比較例１、２よりも小さくなった。また、通気蓋が有る場合も実施例で０．０５Ｌ／ｍｉｎとなり、比較例１と同じで、比較例２よりも小さくなった。
このように、実施例では、エルボに整流リブ（ハ字状リブ）を設けることで、比較例１、２の漏れ量に対して同等以下となり、排水性能が向上されたことを確認できた。
【００５８】
以上、本発明による雨水排水システムの実施の形態について説明したが、本発明は上記の実施の形態に限定されるものではなく、その趣旨を逸脱しない範囲で適宜変更可能である。
例えば、上述の本実施の形態では、エルボ４に設けられる整流部として、上面視形状でハ字状に形成される一対の整流リブ４１を設けた構成としているが、他の形状の整流部を採用することも勿論可能である。
例えば、図１０（ａ）、（ｂ）に示す第１変形例による整流リブ４４は、エルボ４の湾曲部４ａの内面において、上面視形状でエルボ４の中心軸に沿って延びる形状をなしている。  
なお、上述した整流リブ４１、４４はエルボ４と一体に成形されていてもよく、別部材として成形された整流リブ４１、４４をエルボ４内に接着して設けてもよい。
【００５９】
また、図１１及び図１２に示す第２変形例では、雨水の鉛直下方への流下を規制し流れを方向付けする整流面が、竪樋３の中心軸周りに螺旋状に形成される螺旋羽根４２（整流部）を設けるようにしてもよい。この場合、螺旋羽根４２は、エルボ４の上端に接続される上筒管４０に設けられている。螺旋羽根４２は、平面視で上筒管４０の内周面４０ａに略沿って湾曲した形状の上面４２ａと、下面４２ｂと、上筒管４０の内周面４０ａに当接されるように形成された外周面４２ｃとを有する板状の部材である。螺旋羽根４２の上面４２ａは、竪樋３中を流下する雨水の一部を受けてその鉛直下方への流下を規制するとともに所定の方向に導く整流面となるよう形成され、より優れた整流機能を発揮することができる。
また、螺旋羽根４２の数量は、上述した変形例のように１枚であることに限定される２枚など複数枚あってもよい。
【００６０】
さらに、立上げ管４３とエルボ４の上流側拡径部４ｂとの接続部分に受口と差口の中心軸が偏芯した偏芯ソケットを設けることで立上げ管４３の中心軸と、エルボ４の上流側拡径部４ｂの中心軸とを一致させずに偏芯させて旋回流を発生させることで、整流機能を付与してもよい。また、エルボ４の上流側拡径部４ｂの中心軸と下流側拡径部４ｃの中心軸が同一平面上にならない様にすることでも旋回流を発生させることができる。
【００６１】
また、本実施の形態のようなサイホン発生部１０に制限されることはなく、他の形態でサイホン作用を発生させる機構を備えた雨水システムとすることも可能である。
サイホン作用を発生させるサイホン発生部１０の他の形態としては、内部に流路面積を減少させる縮径部を設けたソケットを竪樋３の途中や下端に設置し、当該ソケット上部でサイホン作用を発生させてもよく、オーバーフローソケット９の内部や竪樋３とオーバーフローソケット９との接続部にこのような縮径部を設けてサイホン作用を発生させるようにしたサイホン発生部１０でもよい。
また、竪樋３の途中から内径の小さい竪樋を接続し、この内径の小さい竪樋の上端でサイホン作用を発生させるようにしてもよく、軒樋２の底部と竪樋３とを接続する落とし口２１又は集水器２２の内部に竪樋３よりも流路面積を小さくする縮径部を設け、軒樋２の底部又は集水器２２内でサイホン作用を発生させるようにしてもよい。  さらに、上述したサイホン発生部１０を複数組み合わせてもよい。
【００６２】
また、本実施の形態の竪樋３は、取付リブ３２を備えた形状となっているが、これに限定されることはなく、バンドを使用して外壁から支持される形態の筒状のみの竪樋であっても勿論かまわない。
【００６３】
さらに、本実施の形態で示した構成は、雨水排水システムの一例であって、軒樋２、竪樋３、エルボ４、室内排水管５、横引き管６、枡７（合流枡７１、雨水枡７２、トラップ枡７３）、排水管カバー８等の取付け位置、数量、各種寸法等の構成は、建物の形状や敷地面積、可能排水量からなる排水条件などに応じて適宜変更することが可能である。
【００６４】
さらにまた、枡７に設けられる圧力開放蓋を省略することも可能である。
また、横引き管６とトラップ枡７３とを接続するトラップ７４やＴ字継手７５を省略しても良い。例えば、トラップ枡７３を使用して室内排水管５と横引き管６とを合流させているが、これに限るものではなく、室内排水管５と合流することなく、横引き管６は直接下水本管Ｐと接続していても良い。この場合、横引き管６と下水本管Ｐとはトラップ枡ではなく通常の雨水枡を介して接続される。
【００６５】
その他、本発明の趣旨を逸脱しない範囲で、上記した実施の形態における構成要素を周知の構成要素に置き換えることは適宜可能である。
【符号の説明】
【００６６】
１  雨水排水システム
２  軒樋
３  竪樋
４  エルボ（曲管部）
５  室内排水管
６  横引き管
７  枡
８  排水管カバー
１０  サイホン発生部
１１  吸水管
１２  負圧誘発管
４０  上筒管
４１、４４  整流リブ（整流部）
４２  螺旋羽根（整流部）
４３  立上げ管
７０  圧力開放蓋
７１  合流枡
７２  雨水枡
７３  トラップ枡
７４  トラップ
７５  Ｔ字継手
【図１】
0006475545.tif 000004
【図２】
0006475545.tif 000005
【図３】
0006475545.tif 000006
【図４】
0006475545.tif 000007
【図５】
0006475545.tif 000008
【図６】
0006475545.tif 000009
【図７】
0006475545.tif 000010
【図８】
0006475545.tif 000011
【図９】
0006475545.tif 000012
【図１０】
0006475545.tif 000013
【図１１】
0006475545.tif 000014
【図１２】
0006475545.tif 000015
【図１３】
0006475545.tif 000016